(57)【要約】  【課題】  ステージ上を転動する遊技球の導入口への振り分け率を高めても、始動入賞手段への入賞率が極端に高くなることはなく、遊技の興趣を高めることができる遊技機を提供する。  【解決手段】  ステージ８１上を転動する遊技球が隆起部８３の遊技球導入部８６から導入口１１０に導入され、誘導通路１２０を通って始動入賞手段の上方の遊技領域へ流下する遊技機であって、始動入賞手段は、それぞれ遊技球受入面を有する一対の変換部材を備え、変換部材は、遊技球を受け入れ難い第１状態と、遊技球を受け入れ易い第２状態とに変換可能に構成され、誘導通路１２０は、入賞開口部の上方へ遊技球を誘導する第１誘導部１２１と、第２状態の変換部材の遊技球受入面の上方へ遊技球を誘導する第２誘導部１２２，１２２と、から構成され、これら誘導部よりも上流側に、遊技球を第１誘導部１２１または第２誘導部１２２，１２２の何れかへ振り分ける振分部１３１を備える。【選択図】  図３
2006247089.tif 000002
【特許請求の範囲】
【請求項１】
遊技盤前面の遊技領域に取り付けられ、画像表示装置の表示部を後方から臨ませる開口部が開設されたセンターケースと、
該センターケースの下方に配置され、遊技球の入賞に基づいて前記表示部の表示状態に変化の契機を与える始動入賞手段と、
を備え、
前記センターケースは、前記開口部の下方に、前記遊技領域から受け入れた遊技球を転動可能なステージを設け、
該ステージは、前記始動入賞手段の上方に配置された部分を隆起させて隆起部を形成し、該隆起部の側方に前方へ下り傾斜する案内部を設け、前記隆起部の下方に、遊技球を前記始動入賞手段へ向けて誘導可能な誘導通路を設け、前記隆起部の頂部に後方へ下り傾斜する遊技球導入部を形成し、該遊技球導入部の後方に、遊技球を前記誘導通路へ導入可能な導入口を開設し、
前記ステージ上を転動する遊技球が前記案内部に案内されて前方へ転動すると、前記始動入賞手段の側方の遊技領域へ流下し、前記隆起部の遊技球導入部から導入口を通って誘導通路を転動すると、前記始動入賞手段の上方の遊技領域へ流下するように構成された遊技機であって、
前記始動入賞手段は、それぞれ遊技球受入面を有する一対の変換部材を備え、
該一対の変換部材は、互いの遊技球受入面を起立対向させ、遊技球受入面の間に入賞通路を形成し、遊技球を受け入れ難い第１状態と、前記遊技球受入面を側方へ傾倒させ、遊技球を受け入れ易い第２状態と、に変換可能に構成され、
前記誘導通路は、
前記入賞通路の上方へ遊技球を誘導する第１誘導部と、
第２状態に変換した前記変換部材の遊技球受入面の上方へ遊技球を誘導する第２誘導部と、
から構成され、
前記第１誘導部および第２誘導部よりも上流側に、遊技球を第１誘導部または第２誘導部の何れかへ振り分ける振分部を備えたことを特徴とする遊技機。
【請求項２】
前記振分部は、前記導入口と前記遊技球導入部との間に設けられ、
前記導入口へ向けて下り傾斜した溝部と、該溝部の側方に配置され、溝部の側方へ下り傾斜した振分傾斜部とを備えた振分部材と、
該振分部材と前記遊技球導入部との間に開設され、左右両側を遊技球通過阻止壁により区画された連通部と、
を備え、前記連通部を前記振分部材よりも幅広に構成し、
前記溝部の下端部の下方に、第１誘導部と連通する第１導入口を開設し、前記振分傾斜部の下端部の下方に、第２誘導部と連通する第２導入口を開設したことを特徴とする請求項１に記載の遊技機。
【請求項３】
前記誘導通路は、前記第１誘導部と第２誘導部とを区画する区画部材を備えたことを特徴とする請求項１または請求項２に記載の遊技機。
【請求項４】
前記始動入賞手段は、前記入賞通路の上方に遊技球が通過可能な入賞開口部を設けたことを特徴とする請求項１から請求項３のいずれかに記載の遊技機。
【発明の詳細な説明】
【技術分野】
【０００１】
本発明は、パチンコ遊技機等の遊技機に関し、特に、画像表示装置を遊技盤に配設し、始動口などの始動入賞手段に遊技球が入賞すると画像表示装置の表示が変化するようにした遊技機に関する。
【背景技術】
【０００２】
従来の遊技機、例えばパチンコ遊技機では、遊技盤の遊技領域の略中央に開口を形成し、遊技盤の開口裏面側に画像表示装置を配設し、遊技盤の前面側に画像表示装置の表示部が臨む表示用開口窓部を形成したセンターケースを配設したものが知られている。この種の遊技機は、センターケースの下方に設けられた始動入賞口などの入賞領域への入賞を条件として変動表示遊技を行い、その結果態様が予め定めた特別表示態様となった場合に、遊技者が所定の利益を獲得可能な特別遊技状態を発生させる。
【０００３】
これに関連する技術として、例えば、特開２００４−１０５７６３号公報（特許文献１）には、特別遊技領域に入口部から受け入れた遊技球を転動可能なステージを設け、該ステージのほぼ中央に凸部を設け、該凸部の頂部において後方へ下り傾斜させるとともに、遊技球が該凸部を転動する際、入球し得る開口部を設け、該開口部へ入球した遊技球が排出案内口を介して始動入賞口の直ぐ上方に導出されるように構成し、前記凸部の両側に凹部を設け、前記開口部に入球しなかった遊技球が前方へ下り傾斜した傾斜面から前方へ排出されるように構成することにより、ステージ上を転動する遊技球を入賞口の上方の遊技領域やその側方の遊技領域へと流下させるようにした遊技機が提案されている。
【特許文献１】特開２００４−１０５７６３号公報
【発明の開示】
【発明が解決しようとする課題】
【０００４】
ところで、従来の遊技機では、前記開口部（導入口）に入球した遊技球が排出案内口を介してほぼ確実に始動入賞口に入賞するように設定されている。したがって、該入賞口への入賞率が極端に高くならないようにするために、ステージ上を転動するほとんどの遊技球を凸部の両側方の凹部に形成された傾斜面から入賞口の側方の遊技領域へと流下させるように振り分け設定する傾向にあり、遊技の興趣を損なっていた。
【０００５】
そこで、本発明は、前記の事情に鑑みてなされたものであり、その目的は、ステージ上を転動するほとんどの遊技球の導入口への振り分け率を高めても、始動入賞手段への入賞率が極端に高くなることなく、遊技の興趣を高めることができる遊技機を提供することにある。
【課題を解決するための手段】
【０００６】
本発明は、前記目的を達成するために提案されたものであり、請求項１に記載のものは、遊技盤前面の遊技領域に取り付けられ、画像表示装置の表示部を後方から臨ませる開口部が開設されたセンターケースと、
該センターケースの下方に配置され、遊技球の入賞に基づいて前記表示部の表示状態に変化の契機を与える始動入賞手段と、
を備え、
前記センターケースは、前記開口部の下方に、前記遊技領域から受け入れた遊技球を転動可能なステージを設け、
該ステージは、前記始動入賞手段の上方に配置された部分を隆起させて隆起部を形成し、該隆起部の側方に前方へ下り傾斜する案内部を設け、前記隆起部の下方に、遊技球を前記始動入賞手段へ向けて誘導可能な誘導通路を設け、前記隆起部の頂部に後方へ下り傾斜する遊技球導入部を形成し、該遊技球導入部の後方に、遊技球を前記誘導通路へ導入可能な導入口を開設し、
前記ステージ上を転動する遊技球が前記案内部に案内されて前方へ転動すると、前記始動入賞手段の側方の遊技領域へ流下し、前記隆起部の遊技球導入部から導入口を通って誘導通路を転動すると、前記始動入賞手段の上方の遊技領域へ流下するように構成された遊技機であって、
前記始動入賞手段は、それぞれ遊技球受入面を有する一対の変換部材を備え、
該一対の変換部材は、互いの遊技球受入面を起立対向させ、遊技球受入面の間に入賞通路を形成し、遊技球を受け入れ難い第１状態と、前記遊技球受入面を側方へ傾倒させ、遊技球を受け入れ易い第２状態と、に変換可能に構成され、
前記誘導通路は、
前記入賞通路の上方へ遊技球を誘導する第１誘導部と、
第２状態に変換した前記変換部材の遊技球受入面の上方へ遊技球を誘導する第２誘導部と、
から構成され、
前記第１誘導部および第２誘導部よりも上流側に、遊技球を第１誘導部または第２誘導部の何れかへ振り分ける振分部を備えたことを特徴とする遊技機である。
【０００７】
請求項２に記載のものは、前記振分部は、前記導入口と前記遊技球導入部との間に設けられ、
前記導入口へ向けて下り傾斜した溝部と、該溝部の側方に配置され、溝部の側方へ下り傾斜した振分傾斜部とを備えた振分部材と、
該振分部材と前記遊技球導入部との間に開設され、左右両側を遊技球通過阻止壁により区画された連通部と、
を備え、前記連通部を前記振分部材よりも幅広に構成し、
前記溝部の下端部の下方に、第１誘導部と連通する第１導入口を開設し、前記振分傾斜部の下端部の下方に、第２誘導部と連通する第２導入口を開設したことを特徴とする請求項１に記載の遊技機である。
【０００８】
請求項３に記載のものは、前記誘導通路は、前記第１誘導部と第２誘導部とを区画する区画部材を備えたことを特徴とする請求項１または請求項２に記載の遊技機である。
【０００９】
請求項４に記載のものは、前記始動入賞手段は、前記入賞通路の上方に遊技球が通過可能な入賞開口部を設けたことを特徴とする請求項１から請求項３のいずれかに記載の遊技機である。
【発明の効果】
【００１０】
本発明の遊技機によれば、次のような優れた効果を奏する。
即ち、請求項１に記載の発明によれば、遊技球がステージ上の隆起部を転動する際、該隆起部の頂部後方の下り傾斜した遊技球導入部から導入口を介して誘導通路に導入されるが、前記導入口に遊技球が導入される際に、振分部によって、始動入賞手段の変換部材が第１状態に変換して形成される入賞通路の上方へ遊技球を誘導する第１誘導部と、遊技球受入面を起立させた第１状態から遊技球受入面を側方へ傾倒させた第２状態に変換される変換部材の遊技球受入面の上方へ遊技球を誘導する第２誘導部との何れかへ振り分けられるので、ステージ上を転動するほとんどの遊技球の導入口への振り分け率を高めても、始動入賞手段への入賞率が極端に高くなることはなく、遊技の興趣を高めることができる。
【００１１】
請求項２に記載の発明によれば、振分部が、導入口へ向けて下り傾斜した溝部と、該溝部の側方へ下り傾斜した振分傾斜部とを備えた振分部材と、を備え、前記溝部の下端部の下方に第１導入口を開設して第１誘導部と連通させ、前記振分傾斜部の下端部の下方に第２導入口を開設して第２誘導部と連通させているので、簡単な構造で、遊技球導入部から連通部を介して振分部に導入された遊技球を、第１状態に変換した変換部材により形成される入賞通路の上方へと誘導される第１誘導部と、第２状態に変換した前記変換部材の遊技球受入面の上方へと誘導される第２誘導部とに振り分けることができ、遊技の興趣を高めることができる。
【００１２】
請求項３に記載の発明によれば、誘導通路は、第１誘導部と第２誘導部とを区画する区画部材を備えているので、前記振分部によって、第１導入口に導入された遊技球は第１誘導部を転動して前記入賞通路の上方へと誘導され、第２導入口に導入された遊技球は第２誘導部を転動して第２状態に変換した前記変換部材の遊技球受入面の上方へと誘導されることになり、誘導経路が交差することがない。したがって、第１導入口に誘導された遊技球が入賞通路を通過して始動入賞手段へ入賞することを、第２導入口に導入された遊技球によって阻止されることがなく、遊技の興趣を高めることができる。
【００１３】
請求項４に記載の発明によれば、始動入賞手段は、前記入賞通路の上方に遊技球が通過可能な入賞開口部を設けたので、第１誘導口に導入された遊技球が入賞通路を通過して始動入賞手段へ入賞することを、遊技領域を始動入賞手段へ向けて流下する他の遊技球によって阻止されることがなく、遊技の興趣を高めることができる。
【発明を実施するための最良の形態】
【００１４】
以下、代表的な遊技機であるパチンコ遊技機を例に挙げて、本発明を実施するための最良の形態を図面に基づいて説明する。図１はパチンコ遊技機の遊技盤１の正面図である。
パチンコ遊技機の遊技盤１は、図１に示すように、合板やプラスチック等からなる矩形状の遊技盤本体２の表面に、ガイドレール５や遊技領域区画部材６等を止着することで略円形状の遊技領域７を区画形成している。そして、遊技盤１は、この遊技領域７内において、略中央からガイドレール５とは反対側（図中右側）に亘ってセンターケース８を配設し、該センターケース８の後方には、遊技領域７の略中央に位置するように視覚情報を画像表示する画像表示装置９を備えている。
【００１５】
画像表示装置９の下方には、遊技球の入賞に基づいて後述する特図変動表示部２１の表示状態に変化の契機を与える始動入賞手段１０を配設している。本実施形態の始動入賞手段１０は所謂チューリップタイプの始動入賞口によって構成されており、上部には上方を開放した入賞開口部１１が配設され、該入賞開口部１１は遊技球が１個ずつ流下（通過）可能なゲート部として構成されている。この入賞開口部１１の真下には入賞受部１２を開設しており、前記入賞開口部１１を通過した遊技球が入賞受部１２へ落下するように構成されている。また、この入賞受部１２には裏側に設けたソレノイド（図示せず）によって開閉動作を行う所謂チューリップタイプの左右一対の変換部材（開閉部材）１３，１３が備えられている。この変換部材１３，１３は、常時はそれぞれに形成された遊技球受入面１４を互いに起立対向させ、遊技球受入面１４の間に遊技球が１個流入可能な程度の間隔の入賞通路１３ａを形成し、遊技球を受け入れ難い第１状態（閉じた状態）を保持しているが、後述する普図変動表示部２４における変動表示ゲームが「当たり」の結果態様となった場合には、起立対向していた遊技球受入面１４を入賞受部１２へ向けて下り傾斜させた逆「ハ」の字状に両側方へ傾倒した第２状態（上が開いた状態）へと変換し、遊技球が入賞受部１２へ入賞し易い状態と成るように構成されている。なお、本実施形態では、前記入賞開口部１１は、遊技球の入賞受部１２への入賞を案内するための単なるゲート部として構成されているが、前記入賞開口部１１を第１の始動入賞口とし、前記入賞受部１２を第２の始動入賞口として上下に配して、入賞する入賞口によって遊技者に付与される賞球数が異なるように構成してもよい。
【００１６】
始動入賞手段１０の下方には、特図変動表示部２１の表示結果によって遊技球を受け入れない状態と受け入れ易い状態とに変換可能な所謂アタッカー形式の特別変動入賞装置（大入賞口）２２を配設している。この特別変動入賞装置２２は、開閉扉２０の上端側が手前側に倒れる方向に回動して開放可能に成っていて、後述する特図変動表示部２１の変動表示ゲームが特別の結果態様になって「大当たり」等が発生した場合に、開閉扉２０が開放されるように成っている。
【００１７】
特別変動入賞装置２２の右側方には、前記センターケース８の左側に配設した普図始動ゲート２３への入賞（通過）を契機として普通図柄（普図）の変動表示ゲームを行う普図変動表示部２４を配設しており、左側方には、前記始動入賞手段１０への入賞を契機として特別図柄（特図）の変動表示ゲームを行う特図変動表示部２１を配設している。普図変動表示部２４は、例えば、前記普図始動ゲート２３への入賞を契機として、円表示（○）とバー表示（−）とをＬＥＤにより選択表示するように成っており、円表示（○）を「当たり」、バー表示（−）を「はずれ」として、変動表示ゲームの結果態様が「当たり」になったときには前記始動入賞手段１０のチューリップタイプの変換部材１３，１３を第２状態に開放するように成っている。そして、普図変動表示部２４の周囲には、普図始動ゲート２３を遊技球が通過して普図変動表示ゲームが未処理となっている所定数（例えば４個）までの未処理回数を表示する普図始動記憶表示部２５が配設されている。また、特図変動表示部２１は、例えば、前記始動入賞手段１０の入賞受部１２への入賞を契機として、数字、記号、キャラクタ等をＬＥＤにより変動表示するように成っており、変動表示ゲームが予め定めた特別の結果態様になったときには前記特別変動入賞装置２２の開閉扉２０を所定の時間、回数だけ開放するように成っている。そして、特図変動表示部２１の周囲には、前記入賞受部１２へ遊技球が入賞して特図変動表示ゲームが未処理となっている所定数（例えば４個）までの未処理回数を表示する特図始動記憶表示部２６が配設されている。
【００１８】
そして、遊技盤１には、この他に、一般入賞口３１、遊技球の流下方向を変える風車３２や障害釘（図示せず）、発光により各種の装飾表示を行うランプ・ＬＥＤ（図示せず）、及び入賞せずに流下した遊技球を回収するアウト口３４を設けている。
【００１９】
次に、図２はセンターケースの正面図、図３はセンターケースを左斜め上方から見た斜視図、図４はセンターケースの分解斜視図である。
図１から図４に示すように、遊技盤１の遊技領域７の略中央にはセンターケース８の外形形状に対応した開口を形成してあり、遊技盤１の開口裏面側に画像表示装置９を後面に備えた裏面構成部材（図示せず）を配設し、遊技盤１の開口前面側に該画像表示装置９の表示部３１が臨む表示用開口窓部４０（本発明における開口部に相当）を形成したセンターケース８を配設している。
【００２０】
画像表示装置９は、例えば、任意の画像を表示可能なＬＣＤ（液晶表示器）等で表示画面部分が構成され、その表示部には遊技の進行に基づく画像が表示され、例えば、始動入賞手段１０への遊技球の入賞に基づいて表示状態に変化の契機が与えられるように成っている。なお、本実施形態では、前記特別変動入賞装置２２の一側に組み付けた特図変動表示部２１で特図変動表示ゲームを行うように構成しているが、これに限るものではなく、前記画像表示装置９に複数の表示領域を設定して、各表示領域に表示される数字等の識別表示で特図変動表示ゲームを行うように構成してもよい。
【００２１】
センターケース８は、遊技盤１に形成された開口にその前方から嵌装される枠状の部材であって、図３に示すように、センターケース８の前部分を構成する取付基板ユニット４１と、該取付基板ユニット４１の裏面側に設けられる裏箱ユニット４２と、該裏箱ユニット４２の前面に前記取付基板ユニット４１を取り付けて、両ユニットの内部に収納される装飾ユニット４３とを備えている。
【００２２】
裏箱ユニット４２は、前記遊技盤１の開口に嵌装され、前方を開放した箱状ユニットであって、後方の壁に長方形状の表示用開口窓部４０が形成されて略額縁状を呈しており、前記表示用開口窓部４０から前記画像表示装置９の表示部３１を臨ませるように成っている。この裏箱ユニット４２の周囲の適宜位置には、この前面に前記取付基板ユニット４１を取り付けるためのネジ等の止着部材を止着する止着部（図示せず）が配設されている。
【００２３】
取付基板ユニット４１は、前記表示用開口窓部４０よりも大きくて当該ユニットの外周縁より少し内側に開口部４６が大きく形成された異形枠体状のユニットであって、その周囲に沿って前記遊技盤１に取り付ける取付基板４７を有しており、その適宜位置には止着部材を止着する止着部４８が形成されている。図２および図３に示すように、この取付基板４７の前面側上部には、左右全幅に亘って庇状の鎧部５１を前方に突設し、該鎧部５１の左右傾斜端部から下方に縦長の側辺部５２，５２を突設し、左右の側辺部５２，５２の下端同士を接続する状態で底部５３を後方へ突設し、この取付基板ユニット４１を前記裏箱ユニット４２の前面に取り付けることにより、鎧部５１、左右側辺部５２，５２、及び底部５３に囲まれた凹室５４を形成している。この凹室５４の奥の面に前記表示用開口窓部４０が配設されており、鎧部５１は、上面が中央の振り分け凸部５５から左右方向に向けて緩やかに湾曲するように下り傾斜している。そして、前記取付基板４７の後部には、前記と同様の異形状を呈する取付支持部材５６が一体的に取り付けられ、該取付支持部材５６は、取付基板４７から遊技盤１内へ臨むように後方へ向けて突設されている。
【００２４】
また、前記取付基板ユニット４１には、前記ガイドレール５によって区画され、前記発射装置により発射された遊技球を導入部６１から遊技領域７に案内する発射球案内通路６３（図１参照）とは反対側の部分の前記取付基板４７を前記鎧部５１から右側の前記遊技領域区画部材側へと延出させて、外形が前記遊技領域区画部材６に沿って円弧状に形成された取付基板延出部６５を設けている。この取付基板延出部６５は、前記裏箱ユニット４２との間に収納される前記装飾ユニット４３より前面に位置され、その前方を遊技球が流下可能に形成され、遊技球が通過し得る幅を有しており、前述したように、外形が前記遊技領域区画部材６に沿った円弧状を呈しているので、前記鎧部５１の振り分け凸部５５によって右方向に振り分けられた遊技球が該取付基板延出部６５の前面に沿って円滑に流下するように成っている。即ち、図１に示すように、前記取付基板ユニット４１を遊技盤１に取り付けると、遊技領域区画部材６と該取付基板延出部６５の内周部を区画する前記右側辺部５２との間を遊技球が流下することになる。
【００２５】
前述したように、前記裏箱ユニット４２の前面に前記取付基板ユニット４１を取り付けて、これらの内部に装飾ユニット４３を収納しており、この装飾ユニット４３は、本実施形態では、例えば、女忍者と剣を暗示させるような装飾が施されている。
【００２６】
前記凹室５４の底部には、遊技球が転動可能であって、転動する遊技球を前記センターケース８の下方の遊技領域へ流下可能なステージ８１が形成されており、このステージ８１上には、図３に示すように、センターケース８の左側の側辺部５２に開口された遊技球流入口７１から流入した遊技球が転動するように成っている。即ち、センターケース８の左側の遊技領域に向けて開口された前記流入口７１は、取付基板ユニット４１の左側側辺部５２における前記普図始動ゲート２３の右斜め下方に位置しており、センターケース８の左側の遊技領域７を流下する遊技球を受け入れるように左斜め上方へ向けて開口している。そして、図４に示すように、この流入口７１の後部には後方流路７２が連通され、さらに右斜め下方へ円弧状に延出された流下路が連通され、その下端部は流出口としてステージ８１の左端部に開口されており、前記流入口７１、後方流路７２、流下路および流出口は、センターケース８の左側の遊技領域を流下する遊技球をセンターケース８内のステージ８１上へ導入するワープ流路を構成している。本実施形態では、前記流入口７１は取付基板ユニット４１の左側側辺部５２の前部に止着される左側装飾部材７３に開口され、前記後方流路７２は取付基板ユニット４１の左側部に開口され、前記流下路および前記流出口は取付基板ユニット４１の左側後面と取付支持部材５６の左側前面との間に円弧状に区画形成されている。
【００２７】
次に、前記凹室５４の底部に形成されたステージ８１について説明する。図５は阻止壁構成部材の斜視図、図６はステージを右側から見た平面図、図７は図６のＡ−Ａ線矢視図、図８は図６のＢ−Ｂ線矢視図、図９は図６のＣ−Ｃ線矢視図である。
凹室５４の底部に形成されたステージ８１は左右方向に延設され、前記ワープ流路の流出口から流出した遊技球が転動するとともに、遊技領域７を流下して前記ステージ８１の下方の遊技盤１に植設された障害釘に弾かれて前記凹室５４内に飛入した遊技球が転動し得るように成っており、その後部には遊技球通過阻止壁９１が左右方向の略全域に亘って起立している。図４に示すように、ステージ８１は前記取付支持部材５６の底部に形成されており、前記遊技球通過阻止壁９１は取付支持部材５６の底部の裏面に当接させた状態で止着される阻止壁構成部材９０の上縁部に形成され、該阻止壁構成部材９０はその後部に設けられる導入口構成部材１００の前部に形成された一対の支持部１０１，１０１上に配設される。
【００２８】
ステージ８１は、前述したように、前記取付支持部材５６の底部に設けられ、図３および図４に示すように、遊技球を転動可能な連続的に高さの異なる曲面形状を有する案内棚を構成しており、左右方向両側に曲率の小さな円弧状の下り傾斜部８２，８２を、前記始動入賞手段１０の上方に配置された中央部に曲率の大きな円弧状の隆起部８３を形成するような全体として波形状の転動面８４を有している。下り傾斜部８２，８２の谷部（低部）には前方へ向けて下り傾斜した案内部（落下許容部）８５，８５が形成され、該案内部８５，８５以外のステージ８１の前端部は落下防止壁８７によって覆われ、隆起部８３の中央頂部（高部）の後方には、後方へ向けて下り傾斜した遊技球誘導部８６が形成されており、この遊技球導入部８６の後方に、遊技球を誘導通路１２０へ導入可能な導入口１１０を開設している。
【００２９】
この誘導通路１２０は、前記取付支持部材５６におけるステージ８１の隆起部８３の下方に形成され、導入口１１０から導入した遊技球を前記始動入賞手段１０へ向けて誘導可能に構成されている。即ち、前記ステージ８１上を転動する遊技球が前記案内部８５，８５に案内されて前方へ転動すると、前記始動入賞手段１０の側方の遊技領域７へ流下し、前記隆起部８３の遊技球導入部８６から導入口１１０を通って誘導通路１２０を転動すると、前記始動入賞手段１０の上方の遊技領域７へ流下するように構成されている。なお、前記導入口１１０は、中央の第１導入口１１１と左右両側の第２導入口１１２，１１２とから構成されているが、詳細は後述する。
【００３０】
この誘導通路１２０は、図４に示すように、前記導入口１１０に連通するとともに、前記取付支持部材５６の下部中央に前後に貫通するように形成され、その前方端は前記取付基板ユニット４１の下部中央に開口された導出口７４に連通されており、前記始動入賞手段１０の入賞開口部１１の上方へ遊技球を誘導する中央の第１誘導部１２１と、第２状態（開いた状態）に変換した前記変換部材１３，１３の遊技球受入面１４の上方へ遊技球を誘導する左右両側の第２誘導部１２２，１２２と、から構成されている。これら第１誘導部１２１および第２誘導部１２２，１２２よりも上流側には、遊技球を第１誘導部１２１または第２誘導部１２２，１２２の何れかへ振り分ける振分部１３１が設けられており、この振分部１３１は、前記導入口１１０と前記隆起部８３の頂部に形成された遊技球導入部８６との間に設けられている。
【００３１】
振分部１３１は、図３から図６に示すように、前記阻止壁構成部材９０の左右方向中央部に設けられた振分部材１３２と、該振分部材１３２と前記遊技球導入部８６との間に開設され、左右両側を遊技球通過阻止壁９１により区画された連通部１３３と、を備えており、該連通部１３３は、遊技球が前記遊技球導入部８６から前記振分部材１３２上へと導入され易いように、該振分部材１３２よりも幅広に形成されている。振分部材１３２は、後方へ向けて下り傾斜した中央の溝部１３４と、該溝部１３４の左右両側方に配置され、該溝部１３４の左右両側方へ向けてそれぞれ下り傾斜した振分傾斜部１３５，１３５と、を備えている。そして、図６および図７に示すように、前記溝部１３４の下端部の下方には、前記誘導通路１２０の中央の第１誘導部１２１と連通する第１導入口１１１を開設しており、また図６、図８および図９に示すように、前記振分傾斜部１３５，１３５の下端部の下方には、前記第１誘導部１２１の両側に位置する第２誘導部１２２，１２２と連通する第２導入口１１２，１１２を開設している。即ち、図５および図６に示すように、前記振分部材１３２は、前記阻止壁構成部材９０の左右方向中央部に設けられ、前記第２導入口１１２，１１２は該振分部材１３２の左右方向両側に開口されているが、前記第１導入口１１１は前記導入口構成部材１００の左右方向中央部に開口されている。
【００３２】
そして、図５、図６および図９に示すように、前記振分部材１３２の下部において、前記第１導入口１１１と連通する中央の第１誘導部１２１と、前記第２導入口１１２，１２２と連通する左右両側の第２誘導部１２２，１２２とは、前後方向に沿って起立した区画部材１４１によって隔てられており、その前方の前記取付支持部材５６に形成された誘導通路１２０においても、図８に示すように、前記区画部材１４１と連続する延出隔壁１４２によって第１誘導部１２１と第２誘導部１２２，１２２とは隔てられている。
【００３３】
次に、図１、図３、図４、図５から図９を用いて、以上の如く構成された本実施形態の遊技機の作用について説明する。
図１および図３に示すように、発射装置により発射された遊技球は発射球案内通路６３を経て、その先端の導入部６１から遊技領域７の上部に飛入し、センターケース８の鎧部５１の上面に流下すると、振り分け凸部５５によって左側あるいは右側に振り分けられることとなり、センターケース８の側辺部５２，５２の外側に位置する左側の遊技領域７または取付基板延出部６５の前面を流下する。そして、左側の遊技領域７を流下する遊技球は、センターケース８の左側の側辺部５２に開口されたワープ流路の流入口７１に流入し得ることになる。
【００３４】
図３および図４に示すように、ワープ流路の流入口７１に遊技球が流入すると、その後方に延出された後方流路７２及び下方流路を経て、該下方流路の下方端部に開口された流出口からステージ８１の転動面８４の左端上に流下される。このステージ８１の転動面８４は、図３に示すように、左右方向の略中央部分に円弧状の隆起部８３を、該隆起部８３の左右両側方に円弧状の下り傾斜部８２，８２をそれぞれ備えて略波面状を呈しているので、遊技球がステージ８１上を転動して次第に減勢されると、遂には前記下り傾斜部８２，８２の谷部（低部）に形成された案内部（落下許容部）８５，８５から前面側下方へ落下し、前記始動入賞手段１０の側方の遊技領域７へと流下することになる。なお、ステージ８１の転動面８４の前記案内部８５，８５以外の部分の前面端部には落下阻止壁８７が形成されているので、遊技球の勢いが強すぎない限り、落下阻止壁８７を乗り越えて落下することはない。
【００３５】
一方、ステージ８１の転動面８４を転動する遊技球が円弧状の隆起部８３を通過する際に、その中央頂部（高部）の後方へ向けて下り傾斜した遊技球誘導部８６によって後方に開口された導入口１１０内に流入することがあり、該導入口１１０に入った遊技球は誘導通路１２０を通過して前記始動入賞手段１０の上方に位置する導出口７４から流出し、前記始動入賞手段１０へ向けて流下することになるが、本実施形態の遊技機では、前記遊技球誘導部８６と前記導入口１１０との間に振分部１３１が設けられている。
【００３６】
この振分部１３１は、後方へ向けて下り傾斜した中央の溝部１３４と、該溝部１３４の左右両側方に配置され、該溝部１３４の左右両側方へ向けてそれぞれ下り傾斜した振分傾斜部１３５，１３５と、から構成される振分部材１３２を備えており、図６および図７に示すように、前記溝部１３４の下端部の下方に、前記誘導通路１２０の中央の第１誘導部１２１と連通する第１導入口１１１を開設するとともに、図６、図８および図９に示すように、前記振分傾斜部１３５，１３５の下端部の下方に、前記第１誘導部１２１の両側に位置する第２誘導部１２２，１２２と連通する第２導入口１１２，１１２を開設している。したがって、前記導入口１１０に遊技球が導入される際に、振分部１３１によって、前記始動入賞手段１０の入賞開口部１１の上方へ遊技球を誘導する第１誘導部１２１と、遊技球受入面１４を起立させた第１状態（閉じた状態）から遊技球受入面１４を入賞受部１２へ向けて下り傾斜させた第２状態（開いた状態）に変換される変換部材１３，１３の遊技球受入面１４の上方へ遊技球を誘導する第２誘導部１２２，１２２との何れかへ振り分けられる。
【００３７】
具体的には、隆起部８３の頂部の遊技球誘導部８６から連通部１３３を介して振分部材１３２上へ導入された遊技球は、該振分部材１３２の中央の溝部１３４上に転動すると、該溝部１３４が後方へ向けて下り傾斜しているので、図６および図７に示すように、前記溝部１３４の下端部の下方に開設された第１導入口１１１へと落下し、前記誘導通路１２０の中央の第１誘導部１２１を通過して、導出口７４の中央から前記始動入賞手段１０の入賞開口部１１の上方へと遊技球を誘導することになる。一方、振分部材１３２上へ導入された遊技球が振分部材１３２の左右両側のいずれかの振分傾斜部１３５，１３５上に転動すると、該振分傾斜部１３５，１３５がそれぞれ左右側方へ向けて下り傾斜しているので、図６、図８および図９に示すように、前記振分傾斜部１３５，１３５の下端部の下方に開設された第２導入口１１２，１１２のいずれかへと落下し、前記第１誘導部１２１の左側又は右側の第２誘導部１２２，１２２を通過して、導出口７４の左側又は右側から前記始動入賞手段１０の第２状態（開いた状態）の変換部材１３，１３の遊技球受入面１４の上方へ遊技球を誘導することになる。
【００３８】
このように本実施形態の遊技機によれば、前記導入口１１０に遊技球が導入される際に、振分部１３１によって第１誘導部１２１と第２誘導部１２２，１２２との何れかへ振り分けられるので、ステージ８１上を転動するほとんどの遊技球の導入口１１０への振り分け率を高めても、前記始動入賞手段１０への入賞率が極端に高くなることはなく、遊技の興趣を高めることができる。
【００３９】
また、第１誘導部１２１と第２誘導部１２２，１２２とは区画部材１４１および延出隔壁１４２により隔てられているので、前記振分部１３１によって、前記第１導入口１１１に導入された遊技球は必ず第１誘導部１２１を転動して前記入賞開口部１１の上方へと誘導され、また、前記第２導入口１１２，１１２に導入された遊技球は必ず第２誘導部１２２，１２２を転動して第２状態（開いた状態）に変換した前記変換部材１３，１３の遊技球受入面１４の上方へと誘導されることになり、誘導通路１２０内において誘導経路が交差することがない。したがって、第１導入口１１１に誘導された遊技球が入賞開口部１１および入賞通路１３ａを通過して始動入賞手段１０へ入賞することを、第２導入口に導入された遊技球によって阻止されることがなく、遊技の興趣をさらに高めることができるものである。
【００４０】
そして、始動入賞手段１０は、入賞通路１３ａの上方に遊技球が通過可能な入賞開口部１１を設けているので、第１誘導口１１１に導入された遊技球が入賞通路１３ａを通過して始動入賞手段１０へ入賞することを、遊技領域７を始動入賞手段１０へ向けて流下する他の遊技球によって阻止されることがなく、遊技の興趣を高めることができる。
【００４１】
前記した実施形態は、代表的な遊技機であるパチンコ遊技機を例にして説明したが、本発明はこれに限らず、視覚情報を画像表示する画像表示装置を遊技盤の開口裏面側に配設し、前記画像表示装置の表示部が臨む表示用開口窓部を形成したセンターケースを前記遊技盤の前面側に配設した遊技機であれば、例えば、内部に封入した遊技球を循環させる封入球式パチンコ機、アレンジボール式遊技機、雀球式遊技機等の遊技機であってもよい。
【００４２】
前記した実施の形態は全ての点で例示であって制限的なものではないと考えられるべきである。本発明は、前記した説明に限らず特許請求の範囲によって示され、特許請求の範囲と均等の意味及び範囲内での全ての変更が含まれるものである。
【図面の簡単な説明】
【００４３】
【図１】パチンコ遊技機の遊技盤の正面図である。
【図２】センターケースの正面図である。
【図３】センターケースを左斜め上方から見た斜視図である。
【図４】センターケースの分解斜視図である。
【図５】阻止壁構成部材の斜視図である。
【図６】ステージを右側から見た平面図である。
【図７】図６のＡ−Ａ線矢視図である。
【図８】図６のＢ−Ｂ線矢視図である。
【図９】図６のＣ−Ｃ線矢視図である。
【符号の説明】
【００４４】
１  遊技盤
７  遊技領域
８  センターケース
９  画像表示装置
１０  始動入賞手段
１１  入賞開口部
１２  入賞受部
１３  変換部材
１４  遊技球受入面
４０  表示用開口窓部
７１  流入口
７４  導出口
８１  ステージ
８２  下り傾斜部
８３  隆起部
８４  転動面
８５  案内部（落下許容部）
８６  遊技球誘導部
８７  落下防止壁
９０  阻止壁構成部材
９１  遊技球通過阻止壁
１１１  第１導入口
１１２  第２導入口
１２０  誘導通路
１２１  第１誘導部
１２２  第２誘導部
１３１  振分部
１３２  振分部材
１３３  連通部
１３４  溝部
１３５  振分傾斜部
１４１  区画部材
１４２  延出隔壁
【図１】
2006247089.tif 000003
【図２】
2006247089.tif 000004
【図３】
2006247089.tif 000005
【図４】
2006247089.tif 000006
【図５】
2006247089.tif 000007
【図６】
2006247089.tif 000008
【図７】
2006247089.tif 000009
【図８】
2006247089.tif 000010
【図９】
2006247089.tif 000011